(57)【要約】【課題】通信経路設定の自動化を進める。【解決手段】第１光送受信装置２０−１は導通確認光を出力し、第１光送受信装置２０−１および第２光送受信装置２０−２間において設定すべき通信経路上の途中箇所において、前記導通確認光の導通を確認するとともに、第１光送受信装置２０−１から導通確認光の導通を確認した箇所に続く経路について、前記通信経路として用いるための設定を行なう一方、前記導通確認光の導通の確認および前記経路についての設定を、第１光送受信装置２０−１の側から第２光送受信装置２０−２に至るまで複数個所で順次行なう。【選択図】図７
2010098677.tif 000002
【特許請求の範囲】
【請求項１】
多重通信を行なう伝送路に接続される第１および第２光伝送装置にそれぞれ収容される第１および第２光送受信装置間で、前記第１および第２光伝送装置および前記伝送路を介し信号光が伝搬する通信経路を設定する方法であって、
前記第１光送受信装置は、多重伝送における一のチャンネルにおいて導通確認光を前記第１光伝送装置に出力し、
前記第１光送受信装置および前記第２光送受信装置間において設定すべき通信経路上の途中箇所において、前記導通確認光の導通を確認するとともに、前記第１光送受信装置から前記導通確認光の導通を確認した箇所に続く経路について、前記通信経路として用いるための設定を行なう一方、
前記導通確認光の導通の確認および前記経路についての設定を、前記第１光送受信装置の側から前記第２光送受信装置に至るまで複数個所で順次行なうことを特徴とする、通信経路設定方法。
【請求項２】
前記第１光伝送装置は、
前記光伝送装置から入力される前記導通確認光をもとに、前記第１光送受信装置と当該第１光伝送装置との接続点から、前記伝送路と当該第１光伝送装置との接続点までの間の少なくとも１箇所で前記導通確認光の導通確認および前記経路についての設定を行ない、
前記通信経路として用いるための設定が行なわれた経路を通じて入力される前記第１光送受信装置からの前記導通確認光を、前記導通確認光のチャンネル情報を通知する制御情報光とともに、前記伝送路に送出し、
前記第２光伝送装置は、
前記伝送路から前記導通確認光および前記制御情報光を入力され、
前記入力された前記導通確認光および前記制御情報光をもとに、前記伝送路と当該第２光伝送装置との接続点から、当該第２光伝送装置と前記第２光送受信装置との接続点までの間の少なくとも１箇所で前記導通確認光の導通確認および前記経路についての設定を行ない、
前記第２光送受信装置において、前記伝送路および前記第２光伝送装置を経由した前記導通確認光の導通を確認してから、前記通信経路の設定を完了させることを特徴とする、請求項１記載の通信経路設定方法。
【請求項３】
前記導通確認光は、主信号のビットレートに相当する周波数よりも低周波で変調された低周波変調光であることを特徴とする、請求項１記載の通信経路設定方法。
【請求項４】
前記経路についての設定は、各光伝送装置において、前記導通確認を行なった箇所までの経路を前記通信経路として用いるための装置内要素の接続設定とともに信号光で使用するチャンネルの設定を含むことを特徴とする、請求項１〜３のいずれか１項記載の通信経路設定方法。
【請求項５】
第１および第２光伝送装置にそれぞれ収容される第１および第２光送受信装置間で、多重通信を行なう伝送路と、前記第１および第２光伝送装置と、を介して信号光が伝搬する通信経路を設定する通信システムであって、
前記第１光送受信装置が、前記多重通信における一のチャンネルにおいて導通確認光を前記第１光伝送装置，前記伝送路および前記第２光伝送装置を介して前記第２光送受信装置に送信する導通確認光送信部をそなえ、
前記第１光伝送装置および前記第２光伝送装置は、それぞれ、当該光伝送装置において前記通信経路として設定される経路の箇所において、前記導通確認光の導通を確認する導通確認部と、該導通確認部で前記導通確認光の導通を確認した箇所から先の前記導通確認光の経路について、前記通信経路として用いるための設定を行なう設定部と、をそなえたことを特徴とする、通信システム。
【請求項６】
異なる光伝送装置に収容される光送受信装置間で、多重通信を行なう伝送路と各収容先の光伝送装置とを介して信号光が伝搬する通信経路を設定する通信システムにおける前記通信経路上にそなえられる光伝送装置であって、
当該光伝送装置において、一の光送受信装置から出力された導通確認光の導通を確認する導通確認部と、
該導通確認部で前記導通確認光の導通を確認した箇所から先の前記導通確認光の伝搬経路を前記通信経路の部分として設定する設定部と、をそなえたことを特徴とする、光伝送装置。
【請求項７】
該光伝送装置は、
前記伝送路から入力される光を多重通信におけるチャンネルごとの光に分離する分離部と、
光送受信装置からの前記多重通信におけるチャンネルごとの光を多重する多重部と、
前記伝送路から入力される光又は該多重部からの光について、前記チャンネルごとの光単位に選択的に出力する光スイッチと、をそなえたことを特徴とする、請求項６記載の光伝送装置。
【請求項８】
請求項５記載の光通信システムにおける光送受信装置であって、該導通確認光送信部をそなえたことを特徴とする、光送受信装置。
【発明の詳細な説明】
【技術分野】
【０００１】
本案件は、導通経路設定方法，通信システム，光伝送装置および光送受信装置に関する。
【背景技術】
【０００２】
現在の光伝送装置では、信号を疎通させるために光ファイバーを接続して通信経路を設定することが行なわれる。例えば、光伝送装置に光送受信装置を収容するととともに、収容先の光伝送装置の異なる光送受信装置間において通信経路の設定を行なう。この場合には、信号が通過する全ての光伝送装置において通信経路設定を、人的作業を通じて行なう。
【０００３】
この作業は煩雑であり、設定ミス等の発生や、又設定にかかる時間やコストの増大を招きやすい。このため、当該作業者は、光伝送装置としての装置構成及びネットワーク構成を熟知した上で作業に取り掛かっている。
【特許文献１】特開平８−３３１０４７号公報
【特許文献２】特開２００３−１７４４３２号公報
【発明の開示】
【発明が解決しようとする課題】
【０００４】
本案件の目的の一つは、通信経路設定の自動化を進めることにある。
さらに、設定に要する時間を短縮化させることも目的とすることができる。
また、作業負荷を軽減させ、設定ミス等の発生を抑制することも目的とすることができる。
なお、前記目的に限らず、後述する発明を実施するための最良の形態に示す各構成又は作用により導かれる効果であって、従来の技術によっては得られない効果を奏することも本案件の他の目的として位置づけることができる。
【課題を解決するための手段】
【０００５】
たとえば、以下の手段を用いる。
（１）多重通信を行なう伝送路に接続される第１および第２光伝送装置にそれぞれ収容される第１および第２光送受信装置間で、前記第１および第２光伝送装置および前記伝送路を介し信号光が伝搬する通信経路を設定する方法であって、前記第１光送受信装置は、多重伝送における一のチャンネルにおいて導通確認光を前記第１光伝送装置に出力し、前記第１光送受信装置および前記第２光送受信装置間において設定すべき通信経路上の途中箇所において、前記導通確認光の導通を確認するとともに、前記第１光送受信装置から前記導通確認光の導通を確認した箇所に続く経路について、前記通信経路として用いるための設定を行なう一方、前記導通確認光の導通の確認および前記経路についての設定を、前記第１光送受信装置の側から前記第２光送受信装置に至るまで複数個所で順次行なう通信経路設定方法を用いる。
【０００６】
（２）第１および第２光伝送装置にそれぞれ収容される第１および第２光送受信装置間で、多重通信を行なう伝送路と、前記第１および第２光伝送装置と、を介して信号光が伝搬する通信経路を設定する通信システムであって、前記第１光送受信装置が、前記多重通信における一のチャンネルにおいて導通確認光を前記第１光伝送装置，前記伝送路および前記第２光伝送装置を介して前記第２光送受信装置に送信する導通確認光送信部をそなえ、前記第１光伝送装置および前記第２光伝送装置は、それぞれ、当該光伝送装置において前記通信経路として設定される経路の箇所において、前記導通確認光の導通を確認する導通確認部と、該導通確認部で前記導通確認光の導通を確認した箇所から先の前記導通確認光の経路について、前記通信経路として用いるための設定を行なう設定部と、をそなえた通信システムを用いる。
【０００７】
（３）異なる光伝送装置に収容される光送受信装置間で、多重通信を行なう伝送路と各収容先の光伝送装置とを介して信号光が伝搬する通信経路を設定する通信システムにおける前記通信経路上にそなえられる光伝送装置であって、当該光伝送装置において、一の光送受信装置から出力された導通確認光の導通を確認する導通確認部と、該導通確認部で前記導通確認光の導通を確認した箇所から先の前記導通確認光の伝搬経路を前記通信経路の部分として設定する設定部と、をそなえた光伝送装置を用いる。
【０００８】
（４）上記（２）の光通信システムにおける光送受信装置であって、該導通確認光送信部をそなえた光送受信装置を用いる。
【発明の効果】
【０００９】
開示の技術によれば、通信経路設定の自動化を進めることができる。
さらに、設定に要する時間を短縮化させることもできる。
また、作業負荷を軽減させ、設定ミス等の発生を抑制することもできる。
【発明を実施するための最良の形態】
【００１０】
以下、図面を参照して実施の形態を説明する。但し、以下に説明する実施形態は、あくまでも例示であり、以下に明示しない種々の変形や技術の適用を排除する意図は無い。即ち、本実施形態は、その趣旨に逸脱しない範囲において種々変形して実施することができる。
〔Ａ〕第１実施形態の説明
図１は第１実施形態にかかる光伝送装置を示す図である。この図１に示す光伝送装置１０は、例えば波長多重（Wavelength Division Multiplexing：ＷＤＭ）伝送システムにおけるＯＡＤＭノードとして適用される。即ち、光伝送装置１０は、多重通信を行なう伝送路の一例であるＷＤＭ光伝送路１１ａ，１１ｂを介して図示しない他の光伝送装置に接続可能である。
【００１１】
また、光伝送装置１０は、配下に光送受信装置の一例であるＯＬＣ（Optical Line Card）２０を接続することができる。これにより、ＷＤＭ光伝送路１１（１１ａ，１１ｂ）を介して接続される光伝送装置２０間において、それぞれが収容するＯＬＣ２０間での通信経路が設定され、ＯＬＣ間通信が行なわれる。このとき、ＯＬＣ間通信のための通信経路は、例示的に後述するような自動化された手順で設定することができる。
【００１２】
ここで、光伝送装置１０は、一例として、光増幅部１ａ，１ｂ，分岐部２，波長分離部３，波長多重部４，光スイッチ５，信号光／制御光分離部６ａ，信号光／制御光合流部６ｂ，ＯＳＣ（Optical Supervisory Channel）部７および制御部８を含めることができる。
信号光／制御光分離部６ａは、入力側ＷＤＭ光伝送路１１ａから入力される光のうちで、例えば制御情報を含む制御光に割り当てられる波長の光と主信号光に割り当てられる波長の光とを分離する。プリアンプは光増幅部１ａの一例であり、入力側ＷＤＭ光伝送路１１ａから分離部６ａを介して入力される光を増幅する。
【００１３】
分岐部２は、光増幅部１ａで増幅された光を分岐して、一方を光スイッチ５に、他方を波長分離部３にそれぞれ導く。また、波長分離部（ＤＥＭＵＸ：Demultiplexer）３は、分岐部２からの光についてＷＤＭのチャンネルに対応する波長成分ごとに分離し、分離された各チャンネル対応の波長を有する光は、配下に収容される一つのＯＬＣ２０に導くことができる。波長多重部（ＭＵＸ：Multiplexer）４は、配下のＯＬＣ２０からのチャンネル単位の波長を有する光について波長多重して光スイッチ５に出力する。
【００１４】
したがって、波長分離部３は、伝送路から入力される信号光をチャンネルごとの光に分離する分離部の一例であり、波長多重部４は、光送受信装置からのチャンネルごとの光を多重する多重部の一例である。
これにより、波長分離部３に接続されるＯＬＣ２０は、ＷＤＭ光伝送路１１ａからの光（例えば、導通確認光や信号光）を受信することができる。又、波長多重部４に接続されるＯＬＣ２０は、ＷＤＭ光伝送路１１ｂを通じて光（例えば、導通確認光や信号光）を送信することができる。尚、波長分離部３および波長多重部４に接続されるＯＬＣ２０としては、図中においては別個に示しているが、光送受信のために一体にパッケージングされることを妨げるものではない。
【００１５】
光スイッチ５は、ＷＤＭ光伝送路１１ａから入力される光又は波長多重部４からの光について、チャンネルごとの光単位に選択的に出力する。具体的には、ＷＤＭ光伝送路１１ａからの光について分岐部２を介して入力されるとともに、波長多重部４からの光を入力されて、チャンネル単位に出力側ＷＤＭ伝送路１１ｂに出力される光を選択的に切り換える。
【００１６】
信号光／制御光合流部６ｂは、光スイッチ５から出力される光とＯＳＣ部７からの制御光とを合流して光増幅部１ｂに出力する。ポストアンプは光増幅部１ｂの一例であり、合波部６ｂから出力側ＷＤＭ光伝送路１１ｂに出力される光を増幅する。
ＯＳＣ部７は、分離部６ａからの制御光に含まれる制御情報（監視情報）に基づく処理を行ない、処理結果について制御部８に出力するとともに、出力側ＷＤＭ光伝送路１１ｂを通じて伝送すべき制御情報を含む制御光を生成し出力する。図６は、ＯＳＣ部７の一例を示す図である。ＯＳＣ部７は、この図６に例示するように、Ｏ／Ｅ（Optical/Electrical）変換部７ａ，制御処理部７ｂよびＥ／Ｏ（Electrical/Optical）変換部７ｃを含む。
【００１７】
Ｏ／Ｅ変換部７ａは、ＷＤＭ光伝送路１１ａを介して接続される、隣接局である他の光伝送装置からの制御情報を含む制御光を受ける。又、制御処理部７ｂは、Ｏ／Ｅ変換部７ａからの制御光に含まれる制御情報に基づく処理を行ない、処理結果を制御部８に渡す一方で、出力側ＷＤＭ光伝送路１１ｂを通じて伝送すべき制御情報をＥ／Ｏ変換部７ｃに出力する。更に、Ｅ／Ｏ変換部７ｃは、制御処理部７ｂにおける処理結果に基づく制御光を生成し、信号光／制御光合流部６ｂを通じてＷＤＭ光伝送路１１ｂに送出する。
【００１８】
また、ＣＰＵ（Central Processing Unit）は制御部８の一例であり、当該光伝送装置１０におけるチャンネルごとの光経路を設定や管理等、光伝送装置１０の動作を制御する。又、配下に収容されるＯＬＣ２０に対しても出力光波長の設定や管理等を行なうことができる。
ここで、光伝送装置１０に収容されるＯＬＣ２０は、収容先である光伝送装置１０にＷＤＭ光伝送における１チャンネルが割り当てられる。このとき、割り当てられたチャンネルを用いた通信経路を、他の光伝送装置に収容されるＯＬＣとの間で設定して、ＯＬＣ間の通信を実現する。
【００１９】
ＯＬＣ２０は、上述の通信経路として設定すべき経路を辿って伝搬する導通確認光を出力（送信）する導通確認光送信部２１ａおよび導通確認光を受信する導通確認光受信部２１ｂを含む。尚、導通確認光送信部２１ａおよび導通確認光受信部２１ｂは、導通確認光送受信部２１として一体にそなえてもよい。
導通確認光は、ＯＬＣ間で設定すべき通信経路を辿って伝搬させて、途中箇所において順次経路の導通を確認していくために用いることができる。このために、導通確認光は、設定すべき通信経路に割り当てられるチャンネルに該当する光波長を有しているが、通信の実運用段階での信号光とは区別される。例えば、導通確認光送信部２１ａから出力（又は導通確認光受信部２１ｂで入力）される導通確認光は、図２において時間軸上のレベル変動として例示するように、主信号のビットレート相当の周波数よりも十分に低周波の揺らぎが与えられた光とすることができる。
【００２０】
そして、光伝送装置１０においては、上述のごとく設定すべき通信経路の途中箇所において、ＯＬＣ２０の導通確認光送信部２１ａからの導通確認光の入力を確認する要素をそなえる。例えば、波長分離部３，波長多重部４および光スイッチ５に、上述の導通確認光送信部２１ａから出力される導通確認光について、その導通をそれぞれ確認する導通確認部９Ａ〜９Ｃを含めることができる。
【００２１】
図３は、導通確認部（第２導通確認部）９Ａを含む波長分離部３の一例を示す図である。波長分離部３は、この図３に例示するように、分離素子３ａおよび導通確認部９Ａをそなえる。
分離素子３ａは、ＷＤＭ光伝送路１１ａを伝搬してきた波長多重光について分岐部２から入力され波長多重におけるチャンネル単位の光に分離する。ＡＷＧ（Arrayed Waveguide Gratings）は、分離素子３ａの一例である。尚、波長多重光は、実運用の通信が行なわれているチャンネルでは主信号が変調された信号光が、通信経路の設定過程にあるチャンネルでは導通確認光が、それぞれ波長多重の要素となりうる。又、導通確認部９Ａは、分離素子３ａで分離された波長分離光の経路にそなえられ導通確認光の導通をチャンネルごとに確認するもので、図３に例示するように、ＰＤ（Photo Detecter）アレイ３ｂおよび確認処理部３ｃをそなえる。
【００２２】
ＰＤアレイ３ｂは、分離素子３ａで分離されてＯＬＣ２０に導かれる波長分離光について、一つの経路についての光パワーをモニタするＰＤがアレイ状に配置される。そして、ＰＤアレイ３ｂをなす各ＰＤにおいては、導通確認光における低周波成分に追従する応答を得る。
確認処理部３ｃは、ＰＤアレイ３ｂにおける各ＰＤからの波長分離光についての光パワーのモニタ結果から、波長多重におけるチャンネルごとに導通確認光の導通を確認処理する。例えば、ＰＤアレイ３ｂからの各モニタ信号について、上述の低周波成分を抽出することにより、導通確認光の入力について確認を行なう。
【００２３】
そして、確認処理部３ｃにおいて導通確認光の入力を確認すると、制御部８にその旨を出力する。制御部８においては、確認処理部３ｃにおいて導通確認光の入力を確認したチャンネルについて、通信経路の要素（一部分）の設定を行なうことができる。
また、図４は、導通確認部（第３導通確認部）９Ｃを含む波長多重部４の一例を示す図である。波長多重部４は、この図４に例示するように、多重素子４ａおよび導通確認部９Ｃをそなえる。
【００２４】
多重素子４ａは、ＯＬＣ２０から、割り当てられたチャンネルに相当する波長を有する光（経路設定時は導通確認光、通信の実運用時は主信号が変調された信号光）を入力され、各チャンネルの光を波長多重により束ねる。
一例として、多重素子４ａは、光伝送装置１０として収容可能なチャンネル数に相当する数の入力ポートをそなえるとともに、入力ポートに入力された光を波長多重して光スイッチ５に導く１つの出力ポートをそなえる。この場合において、多重素子４ａにＷＳＳ（Wavelength Selective Switch）を要素として含めることで、ＯＬＣ２０の設定により与えられる任意のチャンネルに相当する波長の光を入力ポート位置によらず受けて、波長多重された光を光スイッチ５に導くことができる。
【００２５】
また、導通確認部９Ｃは、多重素子４ａに入力される導通確認光の導通をチャンネルごとに確認するもので、図４に例示するように、ＰＤ（Photo Detecter）アレイ４ｂおよび確認処理部４ｃをそなえる。
ＰＤアレイ４ｂは、多重素子４ａに入力される光について、一つの経路についての光パワーをモニタするＰＤがアレイ状に配置される。そして、ＰＤアレイ４ｂをなす各ＰＤにおいては、導通確認光における低周波成分に追従する応答を得る。
【００２６】
確認処理部４ｃは、ＰＤアレイ４ｂにおける各ＰＤからの光についての光パワーのモニタ結果から、波長多重におけるチャンネルごとに導通確認光の導通を確認処理する。例えば、ＰＤアレイ４ｂからの各モニタ信号について、上述の低周波成分を抽出することにより、導通確認光の入力について確認を行なう。
そして、確認処理部４ｃにおいて導通確認光の入力を確認すると、制御部８にその旨を出力する。制御部８においては、確認処理部４ｃにおいて導通確認光の入力を確認したチャンネルについて、通信経路の要素（一部分）の設定を行なうことができる。
【００２７】
さらに、図５は、導通確認部（第１導通確認部）９Ａを含む光スイッチ５の一例を示す図である。光スイッチ５は、この図５に例示するように、スイッチ素子５ａおよび導通確認部９Ａをそなえる。
スイッチ素子５ａは、ＷＤＭ光伝送路１１ａを伝搬してきた光とともに、波長多重部４にて波長多重された光を入力されて、ＷＤＭ光伝送路１１ｂに導かれる光方路をチャンネルごとに切り換える。出力先として設定されるポートに対し、任意の入力ポートからの任意波長の光を選択的に出力するＷＳＳ（Wavelength Selective Switch）は、スイッチ素子５ａの一例とすることができる。
【００２８】
これにより、スイッチ素子５ａでは、例えば、ＷＤＭ光伝送路１１ａからの第１のチャンネルの光と、波長多重部４からの第１のチャンネルの光と、のうち、ＷＤＭ光伝送路１１ａを伝搬してきた光をＷＤＭ光伝送路１１ｂに導かれる方路へ出力することができる。又、第１と異なる第２のチャンネルの光については、波長多重部４からの第２のチャンネルの光を選択的にＷＤＭ光伝送路１１ｂに導かれる方路へ出力することもできる。
【００２９】
また、導通確認部９Ａは、スイッチ素子５ａから出力される導通確認光の導通をチャンネルごとに確認するもので、例えば、スプリッタ５ｂ，ＯＣＭ（Optical Channel Monitor）５ｃおよび確認処理部５ｄをそなえる。
スプリッタ５ｂは、スイッチ素子５ａから出力される光（ＷＤＭ光）の一部についてパワー分岐する。ＯＣＭ５ｃは、スプリッタ５ｂにて一部がパワー分岐された光について、波長多重におけるチャンネル成分ごとにパワーをモニタする。確認処理部５ｄは、ＯＣＭ５ｃからの光パワーのモニタ結果から、波長多重におけるチャンネルごとに導通確認光の導通を確認処理する。例えば、ＯＣＭ５ｃからの各モニタ信号について、上述の低周波成分を抽出することにより、導通確認光の入力について確認を行なう。
【００３０】
そして、確認処理部５ｄにおいて導通確認光の入力を確認すると、制御部８にその旨を出力する。制御部８においては、確認処理部５ｃにおいて導通確認光の入力を確認したチャンネルについて、通信経路の要素（一部分）の設定を行なうことができる。
上述したような光伝送装置１０が複数個ＷＤＭ光伝送路１１で連結接続される光通信システムを構築する場合を想定して、図７に例示するようなＯＬＣ間での通信経路の設定例について説明する。
【００３１】
なお、図７に例示する光通信システムでは、ＷＤＭ光伝送路１１を介して３つの光伝送装置１０−１〜１０−３を連結して接続される。又、光伝送装置１０−１〜１０−３においては、設定すべき通信経路に従ってＯＬＣ２０を配下に接続する。
なお、図７中においては、光伝送装置１０−１における分岐部２および波長分離部４の図示、ならびに、光伝送装置１０−２，１０−３の波長多重部３は省略している。又、集中監視局３２は、各光伝送装置１０−１〜１０−３の制御部８の一例であるＣＰＵに、それぞれＤＣＮ（データ通信ネットワーク：Data Communication Network）３１を介して接続される。これにより、集中監視局３２では、光通信システム全体におけるチャンネル単位での通信経路について集中監視することができる。
【００３２】
まず、上述のＯＬＣ２０−１，２０−３間での通信経路の設定を開始するにあたり、光通信システムにおける全ての光伝送装置１０−１〜２０−３の光伝送路（光ファイバ）１１を接続しておく（図８のステップＡ１）。
そして、集中監視局３２での各光伝送装置１０−１〜１０−３に対する集中監視の下で、例えば以下に示すように、光伝送装置１０−１の配下に接続されるＯＬＣ２０−１と、光伝送装置１０−３の配下に接続されるＯＬＣ２０−３と、の間で通信経路を設定する。
【００３３】
通信経路の設定は、例えば次のように行なわれる。ＯＬＣ２０−１では導通確認光を出力し、ＯＬＣ２０−１およびＯＬＣ２０−３間において設定すべき通信経路上の途中箇所において、導通確認光の導通を確認するとともに、ＯＬＣ２０−１から導通確認光の導通を確認した箇所に続く経路について、通信経路として用いるための設定を行なう一方、導通確認光の導通の確認および経路についての設定を、ＯＬＣ２０−１の側からＯＬＣ２０−３に至るまで複数個所で順次行なう。
【００３４】
上述のごとき通信経路の設定を開始するため、集中監視局３２では、光伝送装置１０−１の制御部８に対し、通信経路設定の開始コマンドを送信する（ステップＡ２）。コマンドを制御部８で受信した光伝送装置１０−１においては、以下に示すように通信経路の設定が行なわれる（ステップＡ３〜Ａ１１）。
コマンドを受けた光伝送装置１０−１の制御部８においては、第１光送受信装置である配下のＯＬＣ２０−１に対し、波長多重通信における一のチャンネルにおいて、導通確認光を出力する指示を出力する。この指示を受けたＯＬＣ２０−１では、導通確認光送信部２１ａから導通確認光を出力する（ステップＡ３）。このとき、ＯＬＣ２０−１から出力される導通確認光のチャンネルにおいては、接続先の波長多重部４の入力ポート位置によらず、ＯＬＣ２０−１として出力可能な任意のチャンネルの光とすることができる。
【００３５】
光伝送装置１０−１において、ＯＬＣ２０−１に接続されている波長多重部４の導通確認部９Ｂ（検出ポイントＡ）では、ＯＬＣ２０−１からの導通確認光の導通を確認する（ステップＡ４）。即ち、導通確認部９Ｂにおいて、ＯＬＣ２０−１からの導通確認光を検出すると、その旨を、当該導通確認光を検出した接続ポート位置に関する情報とともに制御部８に出力する（ステップＡ４のＹｅｓルート）。
【００３６】
なお、制御部８においては、導通確認部９Ｂからの導通確認光の入力（導通）があった旨の通知が所定のタイムアウト時間を経過してもなかった場合には、例えば集中監視局３２にアラームを出力するとともに、通信経路の設定処理を中断する（ステップＡ４のＮｏルートからステップＡ５）。
制御部８においては、導通確認部９Ｂでの導通確認光の検出と接続ポート位置に関する情報を受けると、当該導通箇所よりも先の経路について通信経路として用いるための設定を行なう。即ち、ＯＬＣ２０−１と波長多重部４との間の接続の設定を行なう。従って、第１光伝送装置１０−１の制御部８は、導通確認部９Ｂで導通確認光の導通を確認した箇所から先の導通確認光の経路について、通信経路として用いるための設定を行なう設定部の一例である。
このとき、制御部８では、自身で管理する光スイッチ５の接続設定に関する情報を参照して、未使用（空き）の１つのチャンネルを選択する。即ち、制御部８では、波長多重部４について、当該ＯＬＣ２０−１が接続される入力ポートからの光については、当該選択したチャンネルの光を光スイッチ５に出力するように接続設定を行なう（ステップＡ６）。
【００３７】
さらに、制御部８においては、上述のごとく選択されたチャンネルの光を導通確認光として出力されるように、ＯＬＣ２０−１に対して導通確認光の波長の再設定を行なう（ステップＡ７）。このとき、例えばＷＳＳを波長多重部４の要素としているので、ＯＬＣ２０−１の設定チャンネルの再設定に伴ってＯＬＣ２０−１が接続される波長多重部４のポート位置を移動する等のオペレータの作業は省略できる。
【００３８】
ついで、制御部８においては、ＯＬＣ２０−１から導通確認光が出力されるチャンネルの光については、波長多重部４からルートの光が選択的に出力されるように、光スイッチ５の接続設定を行なう（ステップＡ８）。このとき、ＯＬＣ２０−１から出力される導通確認光の設定チャンネルは空きのものが設定されているので、ここでの光スイッチ５の接続設定は、伝送路１１から入力される光が出力される設定となっているチャンネルに対する実質的な通信の影響を与えずにすむ。
【００３９】
このように光スイッチ５の接続設定が行なわれると、次に、光スイッチ５をなすＷＳＳ５ａの出力側に配置される導通確認部９Ｃ（検出ポイントＢ）において、ＯＬＣ２０−１からの導通確認光の導通を確認する（ステップＡ９）。即ち、導通確認部９Ｃにおいて、ＯＬＣ２０−１からの導通確認光を検出すると、その旨を、当該導通確認光を検出したチャンネルに関する情報とともに制御部８に出力する（ステップＡ９のＹｅｓルート）。
【００４０】
なお、制御部８においては、導通確認部９Ｃからの導通確認光の入力（導通）があった旨の通知が所定のタイムアウト時間を経過してもなかった場合には、例えば集中監視局３２にアラームを出力するとともに、通信経路の設定処理を中断する（ステップＡ９のＮｏルートからステップＡ１０）。
制御部８においては、導通確認部９Ｃでの導通確認光の検出とそのチャンネルに関する情報を受けると、その導通確認光のチャンネルを、波長多重チャンネルの設定記憶領域にアド（挿入）チャンネルとして記憶する（ステップＡ１１）。これにより、導通確認部９Ｃで導通確認光の導通を確認した箇所よりも先の経路である、第２光送受信装置２０−３側の光伝送装置１０−２に至る伝送路１１を通信経路として用いるための設定を行なうことができる。従って、第１光伝送装置１０−１の制御部８は、導通確認部９Ｃで導通確認光の導通を確認した箇所から先の導通確認光の経路について、通信経路として用いるための設定を行なう設定部の一例である。
【００４１】
また、ＯＬＣ２０−１からの導通確認光は、光伝送装置１０−１において上述したような接続設定が完了した波長多重部４および光スイッチ５を経由して、光増幅部１ｂで増幅され、光伝送路１１を介して光伝送装置１０−２に送出される。尚、導通確認光を送出するチャンネル以外のチャンネルの光については、主信号が変調された信号光を送出することも可能である。
【００４２】
このとき、光伝送装置１０−１のＯＳＣ７では制御情報光を生成し、生成した制御情報光を光伝送装置１０−２に対して送出することを通じて、隣接局である光伝送装置１０−２に、通信経路の設定開始を指示している（ステップＡ１２）。即ち、光伝送装置１０−１では、ＯＳＣ７で生成した制御情報光についても、合流部６ｂを通じ、光伝送路１１を介して光伝送装置１０−２に送出している。尚、ＯＳＣ７で生成する制御情報光に含まれている指示情報には、導通確認光を送出しているチャンネルの通知情報のほか、宛て先の光送受信装置２０−３の収容先となる光伝送装置１０−３に関する情報を含めることができる。
【００４３】
光伝送装置１０−１からの導通確認光および制御情報光を受ける光伝送装置１０−２においては、以下に示すように通信経路の設定が行なわれる（図９のステップＡ１３〜Ａ１６，Ａ２１〜Ａ２６）。
すなわち、光伝送装置１０−２のＯＳＣ部７において、光伝送装置１０−１からの制御情報光を受けると（ステップＡ１３）、受けた制御情報光から、導通確認光を送出しているチャンネルの通知情報を抽出して、制御部８に渡す。上述のチャンネルの通知情報を受けた制御部８では、波長分離部３にそなえられる導通確認部９Ａから、光伝送装置１０−１からの導通確認光を検出した旨の通知を所定のタイムアウト時間待つ。
【００４４】
すなわち、導通確認部９Ａにおいては、光伝送装置１０−１からの導通確認光を検出すると、その旨を、当該導通確認光を検出した接続ポート位置に関する情報とともに制御部８に出力する（ステップＡ１４のＹｅｓルート）。一方、制御部８においては、導通確認部９Ｂからの導通確認光の入力（導通）があった旨の通知が所定のタイムアウト時間を経過してもなかった場合には、例えば集中監視局３２にアラームを出力するとともに、通信経路の設定処理を中断する（ステップＡ１４のＮｏルートからステップＡ１５）。
【００４５】
制御部８においては、導通確認部９Ａでの導通確認光の検出と接続ポート位置に関する情報を受けると、制御情報光に含まれる宛て先情報をもとに、導通確認光の宛て先となるＯＬＣが、当該接続ポート位置に接続されるＯＬＣか否かを判定する。この場合においては、当該接続ポート位置に接続されるＯＬＣではないと判定される（ステップＡ１６のＮｏルート）。
【００４６】
この場合には、制御部８においては、当該導通確認光のチャンネルを、光増幅部１ｂ側に導かれるように（スルー設定）、光スイッチ５の接続設定を行なう（ステップＡ２１のＹｅｓルートからステップ２３）。尚、図７に例示するように、光伝送装置１０−２にＯＬＣ２０−２（点線表記）が収容されていない場合においては、制御部８では、このことをもって、光スイッチ５の該当チャンネルの方路をスルー設定とするようにしてもよい。
【００４７】
また、光伝送装置１０−２の光スイッチ５において、当該導通確認光のチャンネルについてはアド設定されている等、スルー設定が不可の場合には、例えば集中監視局３２にアラームを出力して通信経路の設定処理を中断する（ステップＡ２１のＮｏルートからステップＡ２２）。
制御部８により、上述の光スイッチ５についての導通確認光のチャンネルのスルー設定が行なわれた場合には、制御部８では、次いで、導通確認部９Ｃからの導通確認光の検出通知を所定のタイムアウト時間待つ。導通確認部９Ｃは、光スイッチ５におけるＷＳＳ５ａ（図５参照）の後段にそなえられており、光伝送路１１からの導通確認光がＷＳＳ５ａを通過して、ＷＳＳ５ａの出力側（検出ポイントＤ）まで到達したことを検出する。
【００４８】
すなわち、導通確認部９Ｃにおいては、ＷＳＳ５ａを通過した導通確認光を検出すると、その旨を、当該導通確認光を検出したチャンネルに関する情報とともに制御部８に出力する（ステップＡ２４のＹｅｓルート）。一方、制御部８においては、導通確認部９Ｂからの導通確認光の入力（導通）があった旨の通知が所定のタイムアウト時間を経過してもなかった場合には、例えば集中監視局３２にアラームを出力するとともに、通信経路の設定処理を中断する（ステップＡ２４のＮｏルートからステップＡ２５）。
【００４９】
制御部８においては、導通確認部９Ｃでの導通確認光の検出とそのチャンネルに関する情報を受けると、その導通確認光のチャンネルを、波長多重チャンネルの設定記憶領域にスルー（通過）チャンネルとして記憶する（ステップＡ２６）。これにより、導通確認部９Ｃで導通確認光の導通を確認した箇所よりも先の経路である、第２光送受信装置２０−３側の光伝送装置１０−３に至る伝送路１１を通信経路として用いるための設定を行なうことができる。従って、光伝送装置１０−２の制御部８は、導通確認部９Ｃで導通確認光の導通を確認した箇所から先の導通確認光の経路について、通信経路として用いるための設定を行なう設定部の一例である。
【００５０】
また、ＯＬＣ２０−１からの導通確認光は、上述したような接続設定が完了した光伝送装置１０−１，１０−２および光伝送路１１を経由して、光伝送装置１０−２に送出される。
このとき、光伝送装置１０−２のＯＳＣ７では制御情報光を生成し、生成した制御情報光を光伝送装置１０−３に対して送出することを通じて、隣接局である光伝送装置１０−３に、通信経路の設定開始を指示している（ステップＡ２７）。即ち、光伝送装置１０−１では、ＯＳＣ７で生成した制御情報光についても、合流部６ｂを通じ、光伝送路１１を介して光伝送装置１０−３に送出している。尚、ＯＳＣ７で生成する制御情報光に含まれている指示情報には、光伝送装置１０−１のＯＳＣ７で生成する制御情報光と同様、導通確認光を送出しているチャンネルの通知情報のほか、宛て先の光送受信装置２０−３の収容先となる光伝送装置１０−３に関する情報を含めることができる。
【００５１】
なお、図７に例示する場合においては、設定すべき通信経路のチャンネルにおいて中継のために用いられる光伝送装置１０−２の数は１つとしているが、２つ以上の場合とすることもできる。この場合には、中継用の各光伝送装置では、上述した通信経路の設定のための処理（図９のステップＡ１３〜Ａ１６，Ａ２１〜Ａ２７）が、導通確認光の伝搬とともに順次行なわれる。
【００５２】
光伝送装置１０−２からの導通確認光および制御情報光を受ける光伝送装置１０−３においては、以下に示すように通信経路の設定が行なわれる（図９のステップＡ１３〜Ａ１６，Ａ３１〜Ａ３５）。
すなわち、光伝送装置１０−３のＯＳＣ部７において、光伝送装置１０−２からの制御情報光を受けると（ステップＡ１３）、受けた制御情報光から、導通確認光を送出しているチャンネルの通知情報を抽出して、制御部８に渡す。上述のチャンネルの通知情報を受けた制御部８では、波長分離部３にそなえられる導通確認部９Ａから、光伝送装置１０−２からの導通確認光を検出した旨の通知を所定のタイムアウト時間待つ。
【００５３】
すなわち、導通確認部９Ａにおいては、光伝送装置１０−２からの導通確認光を検出すると、その旨を、当該導通確認光を検出した接続ポート位置に関する情報とともに制御部８に出力する（ステップＡ１４のＹｅｓルート）。一方、制御部８においては、導通確認部９Ｂからの導通確認光の入力（導通）があった旨の通知が所定のタイムアウト時間を経過してもなかった場合には、例えば集中監視局３２にアラームを出力するとともに、通信経路の設定処理を中断する（ステップＡ１４のＮｏルートからステップＡ１５）。
【００５４】
制御部８においては、導通確認部９Ａでの導通確認光の検出と接続ポート位置に関する情報を受けると、制御情報光に含まれる宛て先情報をもとに、導通確認光の宛て先となるＯＬＣが、当該接続ポート位置に接続されるＯＬＣか否かを判定する。この場合においては、当該接続ポート位置に接続されるＯＬＣであると判定される（ステップＡ１６のＹｅｓルート）。
【００５５】
この場合には、制御部８においては、当該導通確認光のチャンネルを配下のＯＬＣ２０−３に導かれるように波長分離部３の動作設定を行なう。更に、光増幅部１ｂ側には導かれないように（ブロック設定）、光スイッチ５の接続設定を行なう（ステップＡ２１のＹｅｓルートからステップ２３）。尚、図示を省略した波長多重部４からの光を光増幅部１ｂに導かれるように光スイッチ５を設定してもよい（アド設定）。これにより、通信経路の外において導通確認光が疎通することを防いでいる。
【００５６】
したがって、第２光伝送装置１０−３の制御部８は、導通確認部９Ａで導通確認光の導通を確認した箇所から先の導通確認光の経路について、通信経路として用いるための設定を行なう設定部の一例である。
制御部８により、上述の光スイッチ５についての導通確認光のチャンネルのブロック設定が行なわれた場合には、制御部８では、次いで、宛て先となるＯＬＣ２０−３の導通確認光受信部２１ｂからの導通確認光の受信確認通知を所定のタイムアウト時間待つ。
【００５７】
すなわち、導通確認光受信部２１ｂにおいては、波長分離部３を通過した導通確認光を受信すると、その受信を確認する通知（受信確認通知）を、制御部８に出力する（ステップＡ３３のＹｅｓルート）。一方、制御部８においては、導通確認光受信部２１ｂからの受信確認通知が所定のタイムアウト時間を経過してもなかった場合には、例えば集中監視局３２にアラームを出力するとともに、通信経路の設定処理を中断する（ステップＡ３３のＮｏルートからステップＡ３４）。
【００５８】
制御部８においては、導通確認光受信部２１ｂから上述の受信確認通知を受けると、その導通確認光のチャンネルを、波長多重チャンネルの設定記憶領域にドロップ（分岐）チャンネルとして記憶領域に記憶する（ステップＡ３５）。これにより、通信経路の設定を完了させることができる。
なお、例えば、各光伝送装置１０−１〜１０−３において導通確認光の導通を確認している導通確認部９Ａ〜９Ｃにおいての導通確認結果を再度確認して、信号経路が間違っていないか確認するようにしてもよい。又、信号が経由している全ての光伝送装置１０−１〜１０−３において制御部８からのアラームが発生していないことを例えば集中監視局３２で確認することとしてもよい。
【００５９】
このように、上述した実施形態によれば、通信経路設定の自動化を進めることができる。
さらに、設定に要する時間を短縮化させることもできる。
また、作業負荷を軽減させ、設定ミス等の発生を抑制することもできる。
〔Ｂ〕その他
上述の実施形態においては、第１光伝送装置１０−１，第２光伝送装置１０−３において、複数個所で導通確認光の導通を確認するとともに、導通を確認した箇所に続く経路について通信経路として用いるための設定を行なっている。しかしながら、第１光送受信装置１０−１および第２光送受信装置１０−３において、それぞれ設定すべき通信経路上の途中箇所における少なくとも１箇所において、導通確認光の導通を確認するとともに、導通を確認した箇所に続く経路について、通信経路として用いるための設定を行なうようにしてもよい。
【００６０】
また、上述の実施形態においては、波長多重通信を行なう通信システムについて例示したが、例えば偏波多重等を組み合わせることとしてもよいし、その他の多重通信を行なうシステムにも適用することができる。
以上の〔Ａ〕，〔Ｂ〕に例示した実施形態に関し、さらに以下の付記を開示する。
〔Ｃ〕付記
（付記１）
多重通信を行なう伝送路に接続される第１および第２光伝送装置にそれぞれ収容される第１および第２光送受信装置間で、前記第１および第２光伝送装置および前記伝送路を介し信号光が伝搬する通信経路を設定する方法であって、
前記第１光送受信装置は、多重伝送における一のチャンネルにおいて導通確認光を前記第１光伝送装置に出力し、
前記第１光送受信装置および前記第２光送受信装置間において設定すべき通信経路上の途中箇所において、前記導通確認光の導通を確認するとともに、前記第１光送受信装置から前記導通確認光の導通を確認した箇所に続く経路について、前記通信経路として用いるための設定を行なう一方、
前記導通確認光の導通の確認および前記経路についての設定を、前記第１光送受信装置の側から前記第２光送受信装置に至るまで複数個所で順次行なうことを特徴とする、通信経路設定方法。
【００６１】
（付記２）
前記第１光伝送装置は、
前記光伝送装置から入力される前記導通確認光をもとに、前記第１光送受信装置と当該第１光伝送装置との接続点から、前記伝送路と当該第１光伝送装置との接続点までの間の少なくとも１箇所で前記導通確認光の導通確認および前記経路についての設定を行ない、
前記通信経路として用いるための設定が行なわれた経路を通じて入力される前記第１光送受信装置からの前記導通確認光を、前記導通確認光のチャンネル情報を通知する制御情報光とともに、前記伝送路に送出し、
前記第２光伝送装置は、
前記伝送路から前記導通確認光および前記制御情報光を入力され、
前記入力された前記導通確認光および前記制御情報光をもとに、前記伝送路と当該第２光伝送装置との接続点から、当該第２光伝送装置と前記第２光送受信装置との接続点までの間の少なくとも１箇所で前記導通確認光の導通確認および前記経路についての設定を行ない、
前記第２光送受信装置において、前記伝送路および前記第２光伝送装置を経由した前記導通確認光の導通を確認してから、前記通信経路の設定を完了させることを特徴とする、付記１記載の通信経路設定方法。
【００６２】
（付記３）
前記第１および第２光伝送装置間を接続する前記伝送路に介装される他の光伝送装置は、
前記導通確認光および前記制御情報光を入力され、
前記入力された前記導通確認光および前記制御情報光をもとに、前記導通確認光の導通確認および前記経路についての設定を行ない、
かつ、前記第２光伝送装置側の伝送路に、前記導通確認光とともに、前記制御情報光を送出することを特徴とする、付記２記載の通信経路設定方法。
【００６３】
（付記４）
前記導通確認光は、主信号のビットレートに相当する周波数よりも低周波で変調された低周波変調光であることを特徴とする、付記１記載の通信経路設定方法。
（付記５）
前記経路についての設定は、各光伝送装置において、前記導通確認を行なった箇所までの経路を前記通信経路として用いるための装置内要素の接続設定とともに信号光で使用するチャンネルの設定を含むことを特徴とする、付記１〜４のいずれか１項記載の通信経路設定方法。
【００６４】
（付記６）
第１および第２光伝送装置にそれぞれ収容される第１および第２光送受信装置間で、多重通信を行なう伝送路と、前記第１および第２光伝送装置と、を介して信号光が伝搬する通信経路を設定する通信システムであって、
前記第１光送受信装置が、前記多重通信における一のチャンネルにおいて導通確認光を前記第１光伝送装置，前記伝送路および前記第２光伝送装置を介して前記第２光送受信装置に送信する導通確認光送信部をそなえ、
前記第１光伝送装置および前記第２光伝送装置は、それぞれ、当該光伝送装置において前記通信経路として設定される経路の箇所において、前記導通確認光の導通を確認する導通確認部と、該導通確認部で前記導通確認光の導通を確認した箇所から先の前記導通確認光の経路について、前記通信経路として用いるための設定を行なう設定部と、をそなえたことを特徴とする、通信システム。
【００６５】
（付記７）
前記第１および第２光伝送装置間の伝送路に他の光伝送装置が介装され、
前記他の光伝送装置においても、該導通確認部および該設定部をそなえたことを特徴とする、付記６記載の通信システム。
（付記８）
異なる光伝送装置に収容される光送受信装置間で、多重通信を行なう伝送路と各収容先の光伝送装置とを介して信号光が伝搬する通信経路を設定する通信システムにおける前記通信経路上にそなえられる光伝送装置であって、
当該光伝送装置において、一の光送受信装置から出力された導通確認光の導通を確認する導通確認部と、
該導通確認部で前記導通確認光の導通を確認した箇所から先の前記導通確認光の伝搬経路を前記通信経路の部分として設定する設定部と、をそなえたことを特徴とする、光伝送装置。
【００６６】
（付記９）
該光伝送装置は、
前記伝送路から入力される光を多重通信におけるチャンネルごとの光に分離する分離部と、
光送受信装置からの前記多重通信におけるチャンネルごとの光を多重する多重部と、
前記伝送路から入力される光又は該多重部からの光について、前記チャンネルごとの光単位に選択的に出力する光スイッチと、をそなえたことを特徴とする、付記８記載の光伝送装置。
【００６７】
（付記１０）
該導通確認部は、該光スイッチの出力側にそなえられ、前記導通確認光の導通を前記チャンネルごとに確認する第１導通確認部を含むことを特徴とする、付記９記載の光伝送装置。
（付記１１）
該導通確認部は、前記波長分離部で波長分離された光の経路にそなえられ、前記導通確認光の導通を前記チャンネルごとに確認する第２導通確認部を含むことを特徴とする、付記９記載の光伝送装置。
【００６８】
（付記１２）
該導通確認部は、前記多重部で多重される光経路にそなえられ、前記導通確認光の導通をチャンネルごとに確認する第３導通確認部をそなえたことを特徴とする、付記９記載の光伝送装置。
（付記１３）
付記６記載の光通信システムにおける光送受信装置であって、該導通確認光送信部をそなえたことを特徴とする、光送受信装置。
【図面の簡単な説明】
【００６９】
【図１】第１実施形態にかかる光伝送装置を示す図である。
【図２】導通確認光の一例を示す図である。
【図３】波長分離部の一例を示す図である。
【図４】波長多重部の一例を示す図である。
【図５】光スイッチの一例を示す図である。
【図６】ＯＳＣ部の一例を示す図である。
【図７】ＯＬＣ間での通信経路の設定例について説明する図である。
【図８】ＯＬＣ間での通信経路の設定例について説明するフローチャートである。
【図９】ＯＬＣ間での通信経路の設定例について説明するフローチャートである。
【符号の説明】
【００７０】
１ａ，１ｂ    光増幅部
２    分岐部
３    波長分離部
３ａ    分離素子
３ｂ    ＰＤアレイ
３ｃ    確認処理部
４    波長多重部
４ａ    多重素子
４ｂ    ＰＤアレイ
４ｃ    確認処理部
５    光スイッチ
５ａ    スイッチ素子
５ｂ    スプリッタ
５ｃ    ＯＣＭ
５ｄ    確認処理部
６ａ    信号光／制御光分離部
６ｂ    信号光／制御光合流部
７    ＯＳＣ部
７ａ    Ｏ／Ｅ変換部
７ｂ    制御処理部
７ｃ    Ｅ／Ｏ変換部
８    制御部
９Ａ〜９Ｃ    導通確認部
１０，１０−１〜１０−３    光伝送装置
２０，２０−１〜２０−３    ＯＬＣ（光送受信装置）
２１    導通確認光送受信部
２１ａ    導通確認光送信部
２１ｂ    導通確認光受信部
３１    ＤＣＮ
３２    集中監視局
【図１】
2010098677.tif 000003
【図２】
2010098677.tif 000004
【図３】
2010098677.tif 000005
【図４】
2010098677.tif 000006
【図５】
2010098677.tif 000007
【図６】
2010098677.tif 000008
【図７】
2010098677.tif 000009
【図８】
2010098677.tif 000010
【図９】
2010098677.tif 000011